【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
スマート電力システムであって、
マイクロコントローラと、
前記マイクロコントローラに電気的に接続された電力変換器であって、電気エネルギを１つの形態から他の形態に変換するように構成される、電力変換器と、
前記マイクロコントローラに電気的に接続されたスイッチ素子であって、前記変換された電気エネルギの少なくとも１つの電気負荷への配給を制御するように構成される、スイッチ素子と、
前記少なくとも１つの電気負荷および前記マイクロコントローラに電気的に接続された検知素子であって、前記少なくとも１つの電気負荷に配給された前記変換された電気エネルギを監視するように構成され、前記変換された電気エネルギに基づいてフィードバック信号を供給するように構成される、検知素子と
を含み、
前記マイクロコントローラが、前記電力変換器を検証および監視するように構成され、前記フィードバック信号に基づいて、前記少なくとも１つの電気負荷への前記変換された電気エネルギの配給を制御および監視するように構成される、スマート電力システム。
【請求項２】
請求項１記載のスマート電力システムにおいて、前記少なくとも１つの電気負荷が、プロセッサを含むインテリジェント電気負荷を含む、スマート電力システム。
【請求項３】
請求項１記載のスマート電力システムであって、更に、前記少なくとも１つの電気負荷および前記マイクロコントローラに電気的に接続されたコントローラを含み、前記コントローラが、前記少なくとも１つの電気負荷から診断情報を受けると共に、前記マイクロコントローラと双方向に通信するように構成され、前記コントローラが前記診断情報を前記マイクロコントローラに供給するように構成される、スマート電力システム。
【請求項４】
請求項３記載のスマート電力システムにおいて、前記コントローラがスレーブ・デバイスを備え、前記マイクロコントローラがマスタ・デバイスを備える、スマート電力システム。
【請求項５】
請求項１記載のスマート電力システムにおいて、前記スイッチ素子が、前記変換された電気エネルギを修正するように構成されるＨブリッジ・デバイスを含み、該Ｈブリッジが少なくとも１つの共通電界効果トランジスタ（ＦＥＴ）対を含む、スマート電力システム。
【請求項６】
請求項１記載のスマート電力システムにおいて、前記検知素子が、前記少なくとも１つの電気負荷に配給された前記変換されたエネルギに基づいて、フィードバック信号を前記マイクロコントローラに供給するように構成され、前記マイクロコントローラが、前記フィードバック信号に基づいて、前記少なくとも１つの電気負荷への前記変換された電気エネルギの配給を制御および監視するように構成される、スマート電力システム。
【請求項７】
請求項１記載のスマート電力システムにおいて、前記少なくとも１つの電気負荷が、入力／出力（Ｉ／Ｏ）デバイスを備える、スマート電力システム。
【請求項８】
請求項１記載のスマート電力システムにおいて、前記マイクロコントローラが、プロセッサおよびメモリを含み、前記メモリが、第１電力特性に基づいて前記スイッチ素子または前記電力変換器の内少なくとも一方の動作を前記プロセッサに制御させるために、前記プロセッサによって実行可能なプログラムを組み込む有形コンピュータ可読媒体を格納するように構成される、スマート電力システム。
【請求項９】
請求項８記載のスマート電力システムにおいて、前記マイクロコントローラが、第２電力特性に基づいて、前記スイッチ素子または前記電力変換器の内少なくとも一方の動作を、前記プロセッサに制御させるために、前記プロセッサによって実行可能なアップグレード・プログラムを組み込む有形コンピュータ可読媒体を受け入れるように構成され、前記第２電力特性が前記第１電力特性とは異なる、スマート電力システム。
【請求項１０】
システムであって、
コネクタを含むバックプレーンと、
前記コネクタと嵌合するように構成された少なくとも１つの電気負荷と、
前記バックプレーン内に統合されたスマート電力システムと、
を備え、前記スマート電力システムが、
マイクロコントローラと、
前記マイクロコントローラに電気的に接続された電力変換器であって、電気エネルギを１つの形態から他の形態に変換するように構成される、電力変換器と、
前記マイクロコントローラに電気的に接続されたスイッチ素子であって、前記変換された電気エネルギの少なくとも１つの電気負荷への配給を制御するように構成される、スイッチ素子と、
前記少なくとも１つの電気負荷および前記マイクロコントローラに電気的に接続された検知素子であって、前記少なくとも１つの電気負荷に配給された前記変換された電気エネルギを監視するように構成され、前記変換された電気エネルギに基づいて、フィードバック信号を供給するように構成される、検知素子と
を備え、
前記マイクロコントローラが、前記電力変換器を検証および監視するように構成され、前記フィードバック信号に基づいて、前記少なくとも１つの電気負荷への前記変換された電気エネルギの配給を制御および監視するように構成される、システム。
【請求項１１】
請求項８記載のシステムにおいて、前記少なくとも１つの電気負荷が、プロセッサを含むインテリジェント電気負荷を備える、システム。
【請求項１２】
請求項８記載のシステムであって、更に、前記バックプレーンと統合され、前記少なくとも１つの電気負荷および前記マイクロコントローラに電気的に接続されたコントローラを備え、前記コントローラが、前記少なくとも１つの電気負荷から診断情報を受けると共に、前記マイクロコントローラと双方向で通信するように構成され、前記コントローラが、前記診断情報を前記マイクロコントローラに供給するように構成される、システム。
【請求項１３】
請求項１０記載のシステムにおいて、前記コントローラがスレーブ・デバイスを備え、前記マイクロコントローラがマスタ・デバイスを備える、システム。
【請求項１４】
請求項１記載のシステムにおいて、前記スイッチ素子が、前記変換された電気エネルギを修正するように構成されたＨブリッジ・デバイスを含み、前記Ｈブリッジが少なくとも１つの共通電界効果トランジスタ（ＦＥＴ）対を含む、システム。
【請求項１５】
請求項８記載のスマート電力システムにおいて、前記検知素子が、前記少なくとも１つの電気負荷に配給された、変換されたエネルギに基づいて、フィードバック信号を前記マイクロコントローラに供給するように構成され、前記マイクロコントローラが、前記フィードバック信号に基づいて、前記少なくとも１つの電気負荷への前記変換された電気エネルギの配給を制御および監視するように構成される、スマート電力システム。
【請求項１６】
請求項８記載のスマート電力システムにおいて、前記少なくとも１つの電気負荷が、入力／出力（Ｉ／Ｏ）デバイスを含む、スマート電力システム。
【請求項１７】
請求項８記載のスマート電力システムにおいて、前記マイクロコントローラがプロセッサおよびメモリを含み、前記メモリが、第１電力特性に基づいて前記スイッチ素子または前記電力変換器の内少なくとも一方の動作を前記プロセッサに制御させるために、前記プロセッサによって実行可能なプログラムを組み込む有形コンピュータ可読媒体を格納するように構成される、スマート電力システム。
【請求項１８】
請求項１７記載のシステムにおいて、前記マイクロコントローラが、第２電力特性に基づいて、前記スイッチ素子または前記電力変換器の内少なくとも一方の動作を前記プロセッサに制御させるために、前記プロセッサによって実行可能なアップグレード・プログラムを組み込む有形コンピュータ可読媒体を受け入れるように構成され、前記第２電力特性が前記第１電力特性とは異なる、システム。
【請求項１９】
請求項１０記載のシステムであって、更に、前記バックプレーン内に統合された第２スマート電力システムを備え、前記第２スマート電力システムが、冗長機能を前記バックプレーンに設けるように構成される、システム。
【請求項２０】
スマート電力システムを動作させる方法であって、
電力変換器において電気エネルギを１つの形態から他の形態に変換するステップと、
スイッチ素子において、少なくとも１つの電気負荷への前記変換された電気エネルギの配給を制御するステップと、
検知素子において、前記変換された電気エネルギに基づいてフィードバック信号を発生するステップと、
マイクロコントローラにおいて、前記フィードバック信号に基づいて前記スイッチ素子の動作を制御するステップであって、前記スイッチ素子が、前記少なくとも１つの電気負荷への前記変換された電気エネルギの配給を許容する閉構成と、前記少なくとも１つの電気負荷への前記変換された電気エネルギの配給を少なくとも実質的に防止する開構成との間で移行するように構成される、ステップと、
を含む、方法。
【請求項２１】
請求項２０記載の方法において、前記少なくとも１つの電気負荷が、プロセッサを含むインテリジェント電気負荷を含む、方法。